【事件の表示】
　平成１１年特許願第３７６１５５号「ペットボトル用販促品収納カップ」拒絶査定不服審判事件〔平成１３年　６月１２日出願公開、特開２００１−１５８４３４〕について、次のとおり審決する。
【結　論】
　本件審判の請求は、成り立たない。
【理　由】
１．手続の経緯と本願発明　　
　本願は、平成１１年１２月２日の出願であって、特許請求の範囲の請求項１に係る発明（以下、「本願発明」という。）は、出願当初の明細書及び図面の記載からみて、その特許請求の範囲の請求項１に記載された以下のとおりのものと認める。　　
　　　
「ペットボトルの首部に嵌着するペットボトル用販促品収納カップであって、有底筒状の収納カップの底部の中心にペットボトルに閉蓋された蓋体の外径より若干小径とした円形の外方に等間隔で且つ放射状に複数の略Ｖ字状の切込部を形成した開口部を貫設させると共に、前記収納カップの開口部にペットボトルに閉蓋された蓋体を挿通させ、該蓋体の下方に収納カップを嵌着したとき下端がペットボトルの外周に略接触する長さの筒部に形成したことを特徴とするペットボトル用販促品収納カップ。」　　
　　
　　　
２．引用発明　
　これに対して、原査定の拒絶の理由に引用された本願の出願前に頒布された刊行物である登録実用新案第３０５８１９８号公報（以下、「引用例１」という。）には図面とともに以下の事項が記載されている。　　
　　
a.「首部に小物ホルダを取り付けたボトルであって、前記小物ホルダが、ボトル首部を取り囲む周壁に、ボトル首部の貫通孔を有する頂壁を設け、前記周壁及び頂壁とボトル首部との間に小物収納空間が形成されるようにし、前記周壁の下縁に複数の爪片を突設し、これらの爪片を内側へ折り曲げ、爪片の先端がボトルのキャップ下端又はキャップ下方の段部に当接するようにしたものであることを特徴とする小物ホルダ付きボトル。」（【請求項１】）
　　　
b.「この考案は、販売促進用の景品やサンプル等を保持すると共に、宣伝等を表示する小物ホルダを首部に取り付けたボトルに関するものである。」（第５頁第４行〜第５行）　
　　
c.「この考案の第１実施形態を図１乃至図５に基づいて説明する。図１は、このボトルに取り付ける小物ホルダのブランクを示す。このブランクは厚紙から成り、横長帯状の周壁１の上縁には、中央部に貫通孔２を有する円環状の頂壁３が頂繋線４を介して連設されている。頂壁３の先端部及び両側部には、貼着片５が折目線６を介して突設され、頂繋線４に並行して、頂壁３及びその両側部の貼着片５を２等分する頂折線７が設けられている。周壁１の下縁には、頂繋線４を対称に挟んで一対の爪片８が折目線９を介して突設され、爪片８の縦方向の中心線及びこれを周壁１に延長した線上に周折線１０が設けられている。周壁１の一端部は糊代部１１となっている。」（第６頁第５行〜第１３行）　
　　　　
d.「このように組み立てた小物ホルダＨは、図４及び図５に示すように、ボトルＢへの装着に際し、爪８又は周壁１の内面に景品等の小物Ａを両面テープや接着剤で取り付け、爪片８を内側に折り込みつつボトルＢに上方から被せ、貫通孔２からボトルＢの首部を突出させてボトルＢの肩部に載せる。この装着状態において、周壁１及び頂壁３とボトルＢとの間には、小物Ａが収まる小物収納空間１２が形成され、小物ホルダＨは、上部が貫通孔２の周縁で、下部が爪片８の先端でボトルＢに対して位置決めされ、ぐらつくことなく保持される。」（第６頁第２５行〜第７頁第２行）　
　　
e.「また、小物ホルダＨをボトルＢに対して持ち上げようとすると、爪片８の先端がボトルＢのキャップＣ下端又はキャップＣ下方のフランジＦに当接し、ボトルＢからの小物ホルダＨの抜け出しを阻止するので、小物ホルダＨの輸送時の脱落や、店頭での盗難が防止されると共に、小物Ａを他のものにすり替えられる危険性も減少する。さらに、ボトルB首部が貫通孔２から突出しているので、消費者がキャップCの封印状態を確認することができ、安全性が確保される。」（第７頁第１２行〜第１９行)　　
　　
f.「以上説明したように、この考案では、ボトルの首部周囲に、頂壁の貫通孔と、周壁下縁の爪片とで位置決め保持される環状の小物ホルダを取り付け、両者の間に小物収納空間を形成することとしたので、ボトル外周からの小物ホルダの突出が抑制され、効率よくボトルを梱包・陳列することができる。」（第８頁第１８行〜第２１行）　　
　　
　上記cの記載及び図４，５より、折り目線９がボトルの外周に接していることが示されていることから、「キャップの開閉部の下方に小物ホルダを嵌着したとき下端がボトルの外周に略接触する長さに周壁が形成されている」ことが示されているといえる。　　　　　
　上記eの記載及び図面より、「キャップＣ」の上部が開閉することは明らかであり、当該開閉をする部分が、ボトルの蓋になっていると考えることができる。当該キャップＣの開閉をする蓋の機能を有する部分を「キャップの開閉部」とする。　　
　上記a、c、dの記載及び図面より、小物ホルダが筒状となっていることは明らかであり、また、小物ホルダが頂壁を有していることも明記されていることから、「有頂筒状の小物ホルダ」が示されているといえる。　　　
　　
　したがって、上記引用例１には以下の発明（以下、「引用発明１」という。）が記載されている。　　
　　
「ボトルの首部に嵌着する小物ホルダであって、有頂筒状の小物ホルダの頂壁の中心に貫通孔を貫設させると共に、前記小物ホルダの貫通孔にボトルに閉蓋されたキャップの開閉部を挿通させ、該キャップの開閉部の下方に小物ホルダを嵌着したとき下端がボトルの外周に略接触する長さの周壁に形成したペットボトル用販促品収納カップ。」　　
　　
　　
　同じく、原査定の拒絶の理由に引用された本願の出願前に頒布された刊行物である実公昭４０−２６１５６号公報（以下、「引用例２」という。）には図面とともに以下の事項が記載されている。　
　　
g.「この考案は上述した構成のものであって、台紙１における嵌合孔４を、壜の口頸部へ上方から単に嵌め込むことにより、台紙１とともに替栓３を壜の口頸部へ装着しておくことができるものである。すなわち台紙１には嵌合孔４の内周側適所から外向の切込５を適数設けてあるために、この各切込５間には円弧状の受止片aが形成される。」（第２欄第４行〜第１１行）　
　　
h.「したがって、台紙１の嵌合孔４の径を、壜口部の外径より僅かに大としておき、王冠７を施した壜の上方より嵌合孔４を嵌入すれば、王冠７その他大径の部分を通過する際には、受止片aが浮上することにより嵌合孔４は拡径し、一旦台紙１が王冠７の下方へ挿貫された後においては、台紙１を上動しても、嵌合孔４の縁部は王冠７の下端に係止するため、妄りに抜け出ることはない。」（第２欄第１１行〜第１９行）　　
　　
i.「さらに台紙１の嵌合孔４を壜の口径よりも多少小さくしておけば、嵌合孔４を壜頸部に嵌合した際、前記受止片aの内端部が無理なく自然に壜頸部に沿接挟持し、台紙１は壜頸部より確実に取り付けられ、しかも一旦取り付けられた以上は、受止片aの内端部がやや上向きになって壜頸部に当接係止しているから、妄りに動いたり外れたりすることはない。」（第２欄第２０行〜第２７行）　
　　
j.「替栓３を装着した台紙１の要所に、壜の口頸部に嵌合すべき嵌合孔４を穿設するとともに、該嵌合孔４の内周側適所から外向する適数の切込５を設けてなる替栓の取付装置」（実用新案登録請求の範囲）　　　
　　　　　
　上記h.、i.の記載及び図面より、「台紙の嵌合孔が王冠の外径よりも小径」の構成が示されているといえる。
　したがって、上記引用例２には以下の発明（以下、「引用発明２」という。）が記載されている。　　
　　　　
「替え栓を装着した台紙に、壜の口頸部に嵌合すべき嵌合孔を穿設するとともに、該嵌合孔を王冠の外径より小径とし、該嵌合孔の内周側適所から外向する適数の切込を設けてなる替栓の取付装置」　
　　
　　    　　
３．対比　　　　
　本願発明と引用発明１とを対比するに、引用発明１の「ボトル」、「首部」、「頂壁」、「キャップCの開閉部」、「貫通孔」、「周壁」は、それぞれ本願発明の「ペットボトル」、「首部」、「底部」、「蓋体」、「開口部」、「筒部」に相当する。　また、引用発明１の「小物ホルダ」は、本願発明の「ペットボトル用販促品カップ」、「収納カップ」に相当する。　
　　　　
したがって、本願発明と引用発明１は  　
　　　
「ペットボトルの首部に嵌着するペットボトル用販促品収納カップであって、有底筒状の収納カップの底部の中心にペットボトルに閉蓋された蓋体に開口部を貫設させると共に、前記収納カップの開口部にペットボトルに閉蓋された蓋体を挿通させ、該蓋体の下方に収納カップを嵌着したとき下端がペットボトルの外周に略接触する長さの筒部に形成したことを特徴とするペットボトル用販促品収納カップ。」　　
　　
の点で一致し、以下の点で相違している。　　
　　
相違点　　
　本願発明の「開口部」が「ペットボトルに閉蓋された蓋体の外径より若干小径とした円形の外方に等間隔で且つ放射状に複数の略Ｖ字状の切込部」を形成しているのに対して、引用発明１の「貫通孔」（開口部）は、そのような構成になっていない点　　　
　　
４．相違点の検討　　
　上記相違点について検討する　　　
　引用発明２の「王冠」、「切込」、「嵌合孔」、「内周側適所から外向する」は、それぞれ本願発明の「蓋体」、「切込部」、「開口部」、「放射状」に相当する。　　
　　
　引用発明２は、壜の口頸部に嵌合する替え栓を装着した台紙に穿設された嵌合孔が、王冠（「蓋体」）の外径よりも小径とし、該嵌合孔（「開口部」）の内周の外方に内周側適所から外向する（「放射状」に）複数の切込（「切込部」）を形成するものであり、上記切込（「切込部」）を等間隔とすること及びその形状をV字状とすることは、いずれも当該構成にすることにより格別な効果を奏するものではなく、当業者が状況に応じて適宜なし得る設計的事項である。　　
　また、引用発明１は小物ホルダー（「収納カップ」）であり、引用発明２も、替え栓を装着した台紙である小物ホルダーであり、引用発明１と引用発明２は「小物ホルダー」という同一の技術分野に属していることから、引用発明１の貫通孔（「開口部」）の構成として、引用発明２の嵌合孔（「開口部」）の構成を適用して上記相違点に係る発明のようにすることは当業者が容易になし得たものである。　
　　
５．まとめ　　
　以上の通り本願発明は、上記引用例１、２に記載された発明に基づいて、当業者が容易に発明をすることができたものと認められるから、特許法第２９条第２項の規定により特許を受けることができない。　　
　
　よって、結論のとおり審決する。